(57)【要約】
【課題】  確実に密封でき、真空負圧を持続でき、且つ簡単に操作することができる真空抽気機能付き容器蓋体を提供することを目的とする。
【解決手段】  本考案は真空抽気機能付き容器蓋体の構造を提供するもので、主に空気抽出装置と蓋閉検知装置と真空検知装置とを１つの容器、蓋体内に組み込むことにより、上記容器の上記蓋体内に自動抽気、自動検測、安全断電、真空保持機能を具備させることができる為、簡単に使用することができ、更に上記蓋体内に回復コントローラーを加設し、上記蓋体を開ける前に、上記容器内に空気を入れ、同時に強制的に上記空気抽出装置の電源を切り、真空状態から速やかに回復させることにより、上記蓋体を容易に開けることができる。
【選択図】  図１
0003100871.tif 000002
【実用新案登録請求の範囲】
【請求項１】
容器と蓋体内に１つの空気抽出装置と、１つの蓋閉検知装置と、１つの真空検知装置と、１つの回復コントローラーとを有し、
上記空気抽出装置は上記蓋体内に組み込まれ、モーターにより空気抽出ポンプを駆動し、単方向密封弁と一緒に機能することにより、上記蓋体下方の上記容器内の空気を抽出し、
１つの電源が上記空気抽出装置の上記モーターと連結され、上記蓋閉検知装置は上記蓋体内縁と上記容器とが嵌合する位置の上記蓋体内に設置され、電源と上記空気抽出装置の上記モーターとの間に電気的に連結され、蓋の開閉により上記モーター回路の開閉動作をコントロールする設計であり、
上記真空検知装置は、弾力性カバーとセンサーとからなり、上記弾力性カバーの開口端は上記蓋体底面に設置され、上記蓋体下方の上記容器内の空間と連通し、上記容器内の気圧変化により、上記弾力性カバーの形状が変化し、上記弾力性カバーに連結する上記センサーが、上記空気抽出装置の上記モーター回路の開閉動作をコントロールする設計であり、
上記回復コントローラーは、減圧弁と作動スイッチとからなり、１つの作動部により上記減圧弁を開閉させることができ、同時に電源と上記モーターの間にある上記作動スイッチを開閉させることができ、上記空気抽出装置の回路の開閉動作をコントロールする設計であり、
上記空気抽出装置と、上記電源と、上記蓋閉検知装置と、上記真空検知装置と、上記回復コントローラーとからなる１つの上記容器、上記蓋体の真空抽気構造は上記空気抽出装置と上記容器とが合体された構造であり、
上記蓋閉検知装置が上記蓋体と上記容器との嵌合状態を検測すると同時に上記空気抽出装置回路の第一スイッチとして働き、
上記真空検知装置が上記容器内の真空状態、或は入気状態を検測し、上記空気抽出装置の適時スイッチ開閉を行なうことにより、自動的に上記容器内の真空状態を維持し、
上記回復コントローラーにより上記蓋体を開ける前に、上記容器内に空気を入れ、同時に強制的に上記空気抽出装置の電源を切る設計により、上記容器内を真空状態から速やかに回復させることが可能であるため、上記蓋体を容易に開けることが可能であり、上記容器の上記蓋体は上記構造により自動抽気、自動検測、安全断電、真空保持機能を具備することを特徴とする真空抽気機能付き容器蓋体。
【請求項２】
上記空気抽出装置は、上記モーターにより減速ギアアセンブリを駆動し、更に上記減速ギアアセンブリと連結する連結ロッドを作動させることが可能であり、上記連結ロッドと空気抽出ポンプ内のピストンロッドの単方向ピストンとが連動し、上記空気抽出ポンプの上記容器側の端部に設置された単方向密封弁と一緒に機能することにより、上記蓋体下方の上記容器内の空気を抽出して真空にすることを特徴とする請求項１記載の真空抽気機能付き容器蓋体。
【請求項３】
上記空気抽出装置の上記モーターと連結される上記電源は、内設式電池セットでもよく、外接式電気コードでもよいことを特徴とする請求項１記載の真空抽気機能付き容器蓋体。
【請求項４】
上記蓋閉検知装置は、圧迫部とばねと接触コントローラーとからなり、上記蓋体の導引部内に設置され、上記容器の縁端が上記蓋を開閉するとき、上記圧迫部の触端に連接する上記接触コントローラーを作動させ、上記接触コントローラーが電源と上記空気抽出装置の上記モーターとの間に置かれ、電気回路の開閉をコントロールすることにより、上記容器と上記蓋体とが嵌合せず、蓋が開いた状態のときに自動抽気の空転を防ぎ、スイッチが入らないようにすることを特徴とする請求項１記載の真空抽気機能付き容器蓋体。
【請求項５】
上記真空検知装置は、上記弾力性カバー内に１つの補助ばねを設置してもよく、上記容器内の真空状態が弱く、空気が少し入った状態のとき、上記補助ばねにより上記弾力性カバーを上に押し上げ、上記センサーの作動を補助することにより、上記モーター回路の開閉をコントロールする上記センサーの機敏性を強化することを特徴とする請求項１記載の真空抽気機能付き容器蓋体。
【請求項６】
上記回復コントローラーの上記減圧弁は、密封ワッシャーを具備する閉鎖ロッドが洩気縁を具備する軸管内を滑動し、スプリングにより上記密封ワッシャーが上記洩気縁をふさいだ状態を常態とし、上記作動部を作動させることにより空気を入気させ、上記容器内の真空状態を解除することができ、同時に上記閉鎖ロッドに連動する接触部が上記作動スイッチを作動させ、強制的に上記空気抽出装置の電源を切ることが可能であり、上記蓋体を容易に開けることを特徴とする請求項１記載の真空抽気機能付き容器蓋体。
【考案の詳細な説明】
【技術分野】
【０００１】
本考案は真空抽気機能付き容器蓋体に係るものであり、特に、空気抽出装置と蓋体を合体させ、抽気操作を自動化した真空抽気機能付き容器蓋体に係るものである。
【背景技術】
【０００２】
従来の保鮮密封容器は、食品或は精密器具を収納することを目的とし、蓋体の単方向密封弁より抽気装置で保鮮密封容器内の空気を抽気させることにより、負圧を形成し、蓋体が容器に固定されるという構造である。しかしながら、実際に密封或は使用する時、以下に示す様々な問題点が発生するため、これらの問題に焦点を当てて、保鮮密封容器の関係業界では開発、改良が求められている。
【考案の開示】
【考案が解決しようとする課題】
【０００３】
しかしながら、従来の保鮮密封容器は以下のような問題点が発生する。
１．抽気装置を使用しても、蓋体部分の密封保持が容易ではない為、抽気効果を得ることができない、また、震動により入気しやすい為、抽気機能を発揮することが難しい。
２．保鮮密封容器蓋体の単方向密封弁及びその他の密封構造は少しずつ空気が入る為、完全に密封状態を維持し、真空を保持することは不可能で、確実に真空密封状態を維持することは難しい。
【０００４】
本考案は、確実に密封でき、真空負圧を持続でき、且つ簡単に操作することができる真空抽気機能付き容器蓋体を提供することを目的とする。
【課題を解決するための手段】
【０００５】
前記の目的を図るために、本考案は、容器と蓋体内に１つの空気抽出装置と、１つの蓋閉検知装置と、１つの真空検知装置と、１つの回復コントローラーとを有し、
上記空気抽出装置は上記蓋体内に組み込まれ、モーターにより空気抽出ポンプを駆動し、単方向密封弁と一緒に機能することにより、上記蓋体下方の上記容器内の空気を抽出し、
１つの電源が上記空気抽出装置の上記モーターと連結され、上記蓋閉検知装置は上記蓋体内縁と上記容器とが嵌合する位置の上記蓋体内に設置され、電源と上記空気抽出装置の上記モーターとの間に電気的に連結され、蓋の開閉により上記モーター回路の開閉動作をコントロールする設計であり、
上記真空検知装置は、弾力性カバーとセンサーとからなり、上記弾力性カバーの開口端は上記蓋体底面に設置され、上記蓋体下方の上記容器内の空間と連通し、上記容器内の気圧変化により、上記弾力性カバーの形状が変化し、上記弾力性カバーに連結する上記センサーが、上記空気抽出装置の上記モーター回路の開閉動作をコントロールする設計であり、
上記回復コントローラーは、減圧弁と作動スイッチとからなり、１つの作動部により上記減圧弁を開閉させることができ、同時に電源と上記モーターの間にある上記作動スイッチを開閉させることができ、上記空気抽出装置の回路の開閉動作をコントロールする設計であり、
上記空気抽出装置と、上記電源と、上記蓋閉検知装置と、上記真空検知装置と、上記回復コントローラーとからなる１つの上記容器、上記蓋体の真空抽気構造は上記空気抽出装置と上記容器とが合体された構造であり、
上記蓋閉検知装置が上記蓋体と上記容器との嵌合状態を検測すると同時に上記空気抽出装置回路の第一スイッチとして働き、
上記真空検知装置が上記容器内の真空状態、或は入気状態を検測し、上記空気抽出装置の適時スイッチ開閉を行なうことにより、自動的に上記容器内の真空状態を維持し、
上記回復コントローラーにより上記蓋体を開ける前に、上記容器内に空気を入れ、同時に強制的に上記空気抽出装置の電源を切る設計により、上記容器内を真空状態から速やかに回復させることが可能であるため、上記蓋体を容易に開けることが可能であり、上記容器の上記蓋体は上記構造により自動抽気、自動検測、安全断電、真空保持機能を具備することにより、確実に密封でき、真空負圧を持続でき、且つ簡単に操作することができる真空抽気機能を持たせることができる。
【０００６】
前記の目的を図るために、本考案は、上記空気抽出装置は、上記モーターにより減速ギアアセンブリを駆動し、更に上記減速ギアアセンブリと連結する連結ロッドを作動させることが可能であり、上記連結ロッドと空気抽出ポンプ内のピストンロッドの単方向ピストンとが連動し、上記空気抽出ポンプの上記容器側の端部に設置された単方向密封弁と一緒に機能することにより、上記蓋体下方の上記容器内の空気を抽出して真空にし、確実に密封でき、真空負圧を持続でき、且つ簡単に操作することができる真空抽気機能を持たせることができる。
【０００７】
前記の目的を図るために、本考案は、上記空気抽出装置の上記モーターと連結される上記電源は、内設式電池セットでもよく、外接式電気コードでもよい構成とすることにより、
利便性を向上させることができる。
【０００８】
前記の目的を図るために、本考案は、上記蓋閉検知装置は、圧迫部とばねと接触コントローラーとからなり、上記蓋体の導引部内に設置され、上記容器の縁端が上記蓋を開閉するとき、上記圧迫部の触端に連接する上記接触コントローラーを作動させ、上記接触コントローラーが電源と上記空気抽出装置の上記モーターとの間に置かれ、電気回路の開閉をコントロールすることにより、上記容器と上記蓋体とが嵌合せず、蓋が開いた状態のときに自動抽気の空転を防ぎ、スイッチが入らないようにすることにより、確実に密封でき、真空負圧を持続できる。
【０００９】
前記の目的を図るために、本考案は、上記真空検知装置は、上記弾力性カバー内に１つの補助ばねを設置してもよく、上記容器内の真空状態が弱く、空気が少し入った状態のとき、上記補助ばねにより上記弾力性カバーを上に押し上げ、上記センサーの作動を補助することにより、上記モーター回路の開閉をコントロールする上記センサーの機敏性を強化することができる。
【００１０】
前記の目的を図るために、本考案は、上記回復コントローラーの上記減圧弁は、密封ワッシャーを具備する閉鎖ロッドが洩気縁を具備する軸管内を滑動し、スプリングにより上記密封ワッシャーが上記洩気縁をふさいだ状態を常態とし、上記作動部を作動させることにより空気を入気させ、上記容器内の真空状態を解除することができ、同時に上記閉鎖ロッドに連動する接触部が上記作動スイッチを作動させ、強制的に上記空気抽出装置の電源を切ることが可能であり、容器内部を真空状態から速やかに回復させることができる為、蓋体を容易に開けることができる。
【考案の効果】
【００１１】
本考案の真空抽気機能付き容器蓋体において、空気抽出装置はモーターにより減速ギアアセンブリを駆動し、連結ロッドを作動させ、空気抽出ポンプ内のピストンロッドの単方向ピストンと、単方向密封弁とが一緒に機能することにより、蓋体下方の容器内の空気を快速且つ効率的に抽出し、真空にすることができる。
【００１２】
本考案の蓋閉検知装置は容器と蓋体とが嵌合していない（蓋が開いた）状態の時に自動抽気の空転を防ぐ（スイッチが入らないようにする）ことができる。
【００１３】
本考案の真空検知装置の弾力性カバー内に設置した１つの補助ばねが弾力性カバーを上に押し上げるのを補助し、センサーを作動させやすくさせ、電気回路の開閉をコントロールするセンサーの機敏性を強化し、容器内の敏感な真空状態の検測を達成することができる。
【００１４】
本考案の回復コントローラーの減圧弁は、作動部により空気を入気させることができ、簡単且つ明確に容器内の真空状態を解除することができる。
【００１５】
本考案の作動部は、同時に強制的に空気抽出装置の電源を切ることができ、蓋体を容器に開けることができる。
【考案を実施するための最良の形態】
【００１６】
以下に添付図面を参照して本考案のある好適な実施の形態を詳細に説明するが、それらの構成は本考案の構造の絶対的な制限にならない。図１は、本考案の一実施例に係る真空抽気機能付き容器蓋体を示す透視斜視図である。図２は、本考案の真空抽気機能付き容器蓋体の一部を示す透視斜視図である。図３は、本考案の真空抽気機能付き容器蓋体の一部を示す透視斜視図である。図４は、本考案の真空抽出装置の動作状態を示す断面図である。図５は、本考案の真空抽出装置の動作状態を示す断面図である。図６は、本考案の真空抽出装置の局部を示す断面図である。図７は、本考案の真空抽出装置の局部を示す断面図である。図８は、本考案の蓋閉検知装置を示す断面図である。図９は、本考案の蓋閉検知装置を示す断面図である。図１０は、本考案の真空検知装置を示す断面図である。図１１は、本考案の真空検知装置を示す断面図である。図１２は、本考案の回復コントローラーを示す断面図である。図１３は、本考案の回復コントローラーを示す断面図である。
【００１７】
図１、２、５は本考案の真空抽気機能付き容器１０蓋体１１の構造を示す実施例図であり、容器１０、蓋体１１は１つの空気抽出装置２０と、１つの蓋閉検知装置３０と、１つの真空検知装置４０と、１つの回復コントローラー５０とを有する。空気抽出装置２０は、蓋体１１内に組み込まれ、モーター２１により空気抽出ポンプ２４を駆動する。単方向密封弁２７と一緒に機能することにより、蓋体１１下方の容器１０内の空気を抽出することができる。１つの電源が空気抽出装置２０のモーター２１と連結されるが、電源は内設式電池セット２８でもよく、外接式電気コードでもよい。これにより、電池セット２８を用いる場合、持ち運びに便利となり、外接式電気コードで適応する場合、安定した電力供給が可能になる等、利便性を向上させることができる。
【００１８】
蓋閉検知装置３０は蓋体１１内縁と容器１０とが嵌合する所の蓋体１１内に設置され、電源と空気抽出装置２０のモーター２１との間に連結され（電気回路）、蓋の開閉によりモーター２１の回路の開閉動作をコントロールする設計である。
【００１９】
真空検知装置４０は、弾力性カバー４１とセンサー４２とからなり、弾力性カバー４１の開口端は蓋体１１底面に設置され、蓋体１１下方の容器１０内の空間と連通し、容器１０内の気圧変化により、弾力性カバー４１の形状が変化する。弾力性カバー４１に連結するセンサー４２が、空気抽出装置２０のモーター２１回路の開閉動作をコントロールする設計である。
【００２０】
回復コントローラー５０は、主に減圧弁５１と作動スイッチ５９とからなり、１つの作動部５７により上記減圧弁５１を開閉させることができる。同時に、電源とモーター２１の間にある作動スイッチ５９を開閉させることができ、空気抽出装置２０の回路の開閉動作をコントロールする設計である。
【００２１】
空気抽出装置２０と、電源と、蓋閉検知装置３０と、真空検知装置４０と、回復コントローラー５０とからなる１つの容器１０蓋体１１の真空抽気構造は空気抽出装置２０と容器１０とを合体させることができる。蓋閉検知装置３０が蓋体１１と容器１０との嵌合状態を検測すると同時に空気抽出装置２０回路の第一スイッチとして働く。真空検知装置４０が容器１０内の真空状態（或は入気状態）を検測し、空気抽出装置２０の適時スイッチ開閉を行なうことにより、自動的に容器１０内の真空状態を維持することができる。また、回復コントローラー５０により蓋体１１を開ける前に、容器１０内に空気を入れ、同時に強制的に空気抽出装置２０の電源を切る設計により、容器１０内を真空状態から速やかに回復させることができる。これにより、蓋体１１を容易に開けることができ、容器１０の蓋体１１は上記構造により自動抽気、自動検測、安全断電、真空保持機能を具備することができる為、簡単に使用することができる。
【００２２】
空気抽出装置２０はモーター２１により減速ギアアセンブリ２２を駆動し、更に減速ギアアセンブリ２２と連結する連結ロッド２３を作動させることができる。連結ロッド２３と空気抽出ポンプ２４内のピストンロッド２５の単方向ピストン２６とが連動し、空気抽出ポンプ２４の容器１０側の端部に設置された単方向密封弁２７と一緒に機能することにより、蓋体１１下方の容器１０内の空気を抽出し、真空にすることができる。
【００２３】
蓋閉検知装置３０は、圧迫部３１とばね３２と接触コントローラー３４とからなり、蓋体１１の導引部１２内に設置される。容器１０の縁端が（蓋を開閉する時）圧迫部３１の触端３３に連接する上記接触コントローラー３４を作動させ、接触コントローラー３４が電源と空気抽出装置２０のモーター２１との間に置かれ、電気回路の開閉をコントロールすることにより、容器１０と蓋体１１とが嵌合していない（蓋が開いた）状態の時に自動抽気の空転を防ぐ（スイッチが入らないようにする）ことができる。
【００２４】
真空検知装置４０は弾力性カバー４１内に１つの補助ばね４３を設置してもよく、容器１０内の真空状態が弱い時（空気が少し入った状態の時）、補助ばね４３により弾力性カバー４１を上に押し上げ、センサー４２の作動を補助することにより、モーター２１回路の開閉をコントロールするセンサー４２の機敏性を強化することができる。
【００２５】
回復コントローラー５０の減圧弁５１は密封ワッシャー５２を具備する閉鎖ロッド５３が洩気縁５４を具備する軸管５５内を滑動する。スプリング５６により密封ワッシャー５２が洩気縁５４をふさいだ状態を常態とし、作動部５７を作動させることにより空気を入気させ、容器１０内の真空状態を解除することができる。同時に、閉鎖ロッド５３に連動する接触部５８が作動スイッチ５９を作動させ、強制的に空気抽出装置２０の電源を切ることができ、蓋体１１を容易に開けることができる。
【００２６】
上記において本考案の構成、特徴及び部分の位置関係を説明したが、以下において本考案の効果及び長所を詳述する。
【００２７】
Ａ・本考案の効果：
１．空気抽出装置２０と蓋体１１とを合体させ、自動抽気の構造にしたことで操作及び使用が簡単になる。
２．蓋閉検知装置３０が空気抽出装置２０回路の第一スイッチとなることで、自動抽気のコントロールが容易になり利便性を向上させることができる。
３．真空検知装置４０により容器１０内の真空状態（気圧状態）を検測し、自動的に空気抽出装置２０の回路開閉コントロールを行なうことにより、自動的に容器１０内の真空状態を維持することができ、自動検測、安全断電、真空保持機能を具備することができる。
４．回復コントローラー５０により蓋体１１を開ける前に、容器１０内に空気を入れ、同時に強制的に空気抽出装置２０の電源を切る設計により容器１０内部を真空状態から速やかに回復させることができる為、蓋体１１を容易に開けることができる。
【００２８】
Ｂ・本考案による新機能：
１．空気抽出装置２０はモーター２１により減速ギアアセンブリ２２を駆動し、連結ロッドを作動させ、空気抽出ポンプ２４内のピストンロッド２５の単方向ピストン２６と、単方向密封弁２７とが一緒に機能することにより、蓋体１１下方の容器１０内の空気を快速且つ効率的に抽出し、真空にすることができる。
２．蓋閉検知装置３０は容器１０と蓋体１１とが嵌合していない（蓋が開いた）状態の時に自動抽気の空転を防ぐ（スイッチが入らないようにする）ことができる。
３．真空検知装置４０の弾力性カバー４１内に設置した１つの補助ばね４３が弾力性カバー４１を上に押し上げるのを補助し、センサー４２を作動させやすくさせ、電気回路の開閉をコントロールするセンサー４２の機敏性を強化し、容器１０内の敏感な真空状態の検測を達成することができる。
４．回復コントローラー５０の減圧弁５１は作動部５７により空気を入気させることができ、簡単且つ明確に容器１０内の真空状態を解除することができる。
５．作動部５７は同時に強制的に空気抽出装置２０の電源を切ることができ、蓋体１１を容器に開けることができる。
【００２９】
尚、本考案の真空抽気機能付き容器蓋体は上記の構成に限定されることなく、本考案の真空抽気機能付き容器蓋体を変形及び改良した構成においても適応可能である。
【図面の簡単な説明】
【００３０】
【図１】本考案の一実施例に係る真空抽気機能付き容器蓋体を示す透視斜視図である。
【図２】本考案の真空抽気機能付き容器蓋体の一部を示す透視斜視図である。
【図３】本考案の真空抽気機能付き容器蓋体の一部を示す透視斜視図である。
【図４】本考案の真空抽出装置の動作状態を示す断面図である。
【図５】本考案の真空抽出装置の動作状態を示す断面図である。
【図６】本考案の真空抽出装置の局部を示す断面図である。
【図７】本考案の真空抽出装置の局部を示す断面図である。
【図８】本考案の蓋閉検知装置を示す断面図である。
【図９】本考案の蓋閉検知装置を示す断面図である。
【図１０】本考案の真空検知装置を示す断面図である。
【図１１】本考案の真空検知装置を示す断面図である。
【図１２】本考案の回復コントローラーを示す断面図である。
【図１３】本考案の回復コントローラーを示す断面図である。
【符号の説明】
【００３１】
１０            容器
１１            蓋体
１２            導引部
２０            空気抽出装置
２１            モーター
２２            減速ギアアセンブリ
２３            連結ロッド
２４            空気抽出ポンプ
２５            ピストンロッド
２６            単方向ピストン
２７            単方向密封弁
２８            内設式電池セット
３０            蓋閉検知装置
３１            圧迫部
３２            ばね
３３            触端
３４            接触コントローラー
４０            真空検知装置
４１            弾力性カバー
４２            センサー
４３            補助ばね
５０            回復コントローラー
５１            減圧弁
５２            密封ワッシャー
５３            閉鎖ロッド
５４            洩気縁
５５            軸管
５６            スプリング
５７            作動部
５８            接触部
５９            作動スイッチ
【図１】
0003100871.tif 000003
【図２】
0003100871.tif 000004
【図３】
0003100871.tif 000005
【図４】
0003100871.tif 000006
【図５】
0003100871.tif 000007
【図６】
0003100871.tif 000008
【図７】
0003100871.tif 000009
【図８】
0003100871.tif 000010
【図９】
0003100871.tif 000011
【図１０】
0003100871.tif 000012
【図１１】
0003100871.tif 000013
【図１２】
0003100871.tif 000014
【図１３】
0003100871.tif 000015